(57)【要約】【課題】  従来の手や腕を鍛えたり脳を活性化する健康器具は用途や効果が限定されており、健康器具以外に実用的な活用ができなかった。また、携帯することに特別の配慮がされたものではなかった。【解決手段】  弾性のある本体で形成し、手で握ったり掴んだりできる大きさのリング状に形成し開口部を設けることで、腕に装着して携帯でき脱着が容易な健康器具である。【選択図】図２
2016067861.tif 000002
【特許請求の範囲】
【請求項１】
開口部を設けたリング状の弾性を有する本体からなり、手で握ったり指先で掴んだりすることができ腕に装着することができることを特徴とする健康器具。
【請求項２】
本体を板状にしたことを特徴とする請求項１の健康器具。
【請求項３】
本体の開口部の両端を外側に曲げたことを特徴とする請求項１、請求項２の健康器具。
【請求項４】
手で握ったり指先で掴んだりする時に手のツボを刺激する突起を本体の外面に設けたことを特徴とする請求項１から請求項３の健康器具。
【請求項５】
本体を波形にしたことを特徴とする請求項１から請求項４の健康器具。
【請求項６】
本体に磁石や磁粉等を取付けたことを特徴とする請求項１から請求項５の健康器具。
【請求項７】
本体に非金属体を取付けたことを特徴とする請求項１から請求項６の健康器具。
【請求項８】
非金属体に磁石や磁粉等を取付けたことを特徴とする請求項７の健康器具。
【請求項９】
健康器具に発光部を設けたことを特徴とする請求項１から請求項８の健康器具。
【請求項１０】
本体の外面にヤスリ目を設けたことを特徴とする請求項１から請求項９の健康器具。
【請求項１１】
本体に出っ張り部を設けたことを特徴とする請求項１から請求項１０の健康器具。
【請求項１２】
出っ張り部を着脱できるようにしたことを特徴とする請求項１から請求項１１の健康器具。
【請求項１３】
健康器具にＧＰＳ受信器を設けたことを特徴とする請求項１から請求項１２の健康器具。
【請求項１４】
センサーが受信した情報をマイクロコンピュータで演算、解析し、該解析結果を表示部に表示することを特徴とする請求項１から請求項１３の健康器具。
【請求項１５】
開口部に該開口部を閉じるように伸縮材を取付けたことを特徴とする請求項１から請求項１４の健康器具。
【発明の詳細な説明】
【技術分野】
【０００１】  本発明は携帯する健康器具に関する。
【背景技術】
【０００２】  従来、手腕の筋肉を強化するものとして、特許文献特開２００５−１３２５３、手の運動により脳を活性化するものとして特許文献登録実新第３１４３０３３、あるいは磁石やゲルマニュウム、チタン合金を取付け、血流改善を図るものとして特許文献特開２００７−３１９６５１があった。【０００３】  従来技術の参考文献特許文献特開２００５−１３２５３特許文献登録実新第３１４３０３３特許文献特開２００７−３１９６５１
【発明の開示】
【発明が解決しようとする課題】
【０００４】  そのために次のような課題があった。従来の健康器具は背景技術で述べたように、健康器具として個別効果及び個別用途毎に提供されたものであった。また、健康器具以外の実用性がなく活用範囲が限定されたものであり、携帯に特別配慮したものでもなかった。
【課題を解決するための手段】
【０００５】  手で握ったり指先で掴んだりすることができる大きさで、開口部を設けた弾性を有するリング状の本体で形成され、腕に装着する構造に形成したことを特徴とする健康器具である。また、該開口部の両端面を外側に曲げたことを特徴とする健康器具である。
【発明の効果】
【０００６】  開口部を有するリング状の弾性を有する本体にしたことで、手で握ったり指先で掴んだりすると本体が弾性効果で反発し、繰り返し前述の運動をすることで手、指、腕の筋肉が鍛えられるとともに、脳が活性化される効果が得られた。また、必要とする運動負荷に応じて本体の弾性を容易に形成することができる構造にされており、運動する使用者が限定されることがない。また、腕に装着することで、いつでもどこでも運動することができる。【０００７】  本体を腕に装着できる大きさで、開口部を有するリング状に形成したことで、脱着容易に腕に装着でき携帯に便利であり、装飾品としても使用できる。【０００８】  本体の両先端部を曲げたことで、曲げたり掴んだりした時に指が滑るのを防止するストッパーとして働き、反復運動を連続して行うことができた。
【発明を実施するための最良の形態】
【０００９】  以下、本発明の健康器具（Ａ）の実施例について、図面に基づいて説明する。（イ）図１、図２に示すように、本体（１）は金属板のバネ材で形成され、開口部（１ａ）を有するリング状で腕に装着できる形状に形成し、手で握ったり掴んだりすることができる形状にする。（ロ）図１、図２に示すように、開口部（１ａ）の両端面の曲げ部（１ｂ）、（１ｃ）は外側にＵ字状に曲げて形成する。曲げ部（１ｂ）、（１ｃ）の形状や大きさに特に条件はなく、手で握ったり掴んだりした時に指の滑りを防止できれば問題ない。また、後述する他の実施例における用途に合わせて形成する。勿論、不要でも何ら差し支えない。（ハ）開口部（１ａ）の大きさは、腕に装着する時に開口部（１ａ）を広げて腕に装着した後、復元時に腕から外れない大きさにする。バネの強さは金属板の材料の板厚、幅、材質、調質、あるいは開口部（１ａ）の大きさ等で自在に調整できるので、必要な運動量にあった本体（１）の仕様で形成する。（ニ）図１、図２、図３に示すように、本体（１）の外面には、複数の凸部（１ｄ）を設け、手で握ったり掴んだりした時に押圧により手指のツボを刺激するように形成する。本実施例では、微小球状の凸部（１ｄ）に形成している。【００１０】  本発明の健康器具（Ａ）は以上のように形成され、本体（１）を反復して手で握ったり掴んだりすることで弾性による反発力で手指腕の筋肉が鍛えられる。また、本体（１）を板状にしたことで、手で握ったり掴んだりした時に本体（１）が手の中で踊らないので安定感があり、反復運動が円滑に行える。勿論、本体（１）がパイプ状や棒状でも本発明の効果は得られる。【００１１】  本体（１）に曲げ部（１ｂ）、（１ｃ）を設けたことで、手で握ったり掴んだりした時に指が滑るのを防止でき、反復運動が連続してできる。指先の運動では指先の神経を刺激し、脳の活性化を図れボケ防止に効果があることは公知である。勿論、曲げ部（１ｂ）、（１ｃ）を設けなくても前述の効果は得られる。【００１２】  本体（１）に曲げ部（１ｂ）、（１ｃ）を設けたことで、本体（１）の開口部（１ａ）以上の幅の物を挟む場合に効果がある。例えば多数の書類を挟む場合、薄い本を数冊まとめて挟んで立てる場合、オートタイマー付給水栓の給水ボタンを挟み連続給水する場合等、健康器具以外に様々な挟む用途に使うことができる。【００１３】  本体表面に押圧によりツボを刺激する複数の凸部（１ｄ）を設けたことで、本体（１）を反復して手で握ったり掴んだりした時に、凸部（１ｄ）が手のツボを刺激しツボ刺激効果が得られる。凸部（１ｄ）は用途に応じて様々な大きさや形状にすれば効果が大きくなる。例えば図４に示すように平坦な凸部（１ｅ）に形成して押圧を広くし，図５に示すように鋭角な凸部（１ｆ）に形成して点で刺激をし、あるいは凸部を大きく形成（図省略）し押圧を強めるように、それぞれ違ったツボ効果が生じる。また、このような凸部を複数設ける場合、不揃い形状でも整列していなくても差し支えない。また、１箇所としても差し支えない。勿論、このような凸部を設けなくても本発明の本来の効果は得られる。【００１４】  本発明の実施例において、本体（１）が磁石でない金属や磁石にできない材質で形成された場合は、本体（１）に磁石や磁粉等を取付ける。すなわち、本体（１）に磁石を埋め込むことや貼りつける。あるいは本体（１）に磁粉を塗布したり練り込んだりして帯磁することで、公知の磁気による血流改善効果で健康への効果が得られる。例えば本体（１）を樹脂等で形成した場合、本体（１）に磁石を埋め込んだり、磁石を貼ったり、あるいは磁粉を練りこんだりすれば、同じ効果が得られることは明らかである。また、従来技術で明らかなゲルマニュームやチタン合金等を取付けても公知の効果が得られる。【００１５】  〔００１４〕で明らかなように、本体（１）に帯磁することで磁石として活用でき、腕に装着時に例えばクリップ等磁石に付く金属小物品を着脱できる。【００１６】  本発明の他の実施例１として図６に示すように、開口部（１１ａ）を設けた本体（１１）の内面に本体（１１）の幅と同一か狭いゴムあるいは樹脂製の非金属板（２）を本体（１１）の全長に貼り付ければ、金属アレルギーを防止できる。また、腕に装着時腕を強く振った場合に健康器具（Ａａ）が動くのを防止できる。非金属板（２）は本体（１１）の幅より大きくても問題がなく、本体（１１）の一部でも複数部分でもよい。内外全体に巻き付ければ、運動時の金属アレルギー対策になる。また、本体（１１）が樹脂の場合、非金属板（２）を不要にしても良い。非金属板（２）に磁石や磁粉を取付けたり練りこんだりすれば、磁気による血流改善等の効果が得られる。勿論、本体（１１）に健康器具（Ａ）の凸部（１ｄ）を設けなくても本発明の運動効果は得られる。尚、曲げ部（１１ｂ）、（１１ｃ）は特に設けなくても差し支えない。【００１７】本発明の他の実施例２の健康器具（Ａｂ）として、図７に示すように開口部（１１１ａ）を設けた本体（１１１）を波形にすれば、健康器具（Ａ）の凸部を設けなくても波形部（１１２）によりツボ刺激効果がある。勿論、波形部（１１２）に凸部を設ければより細かなツボ刺激効果がある。波形部（１１２）は特に等ピッチでなくてもよい。また、波形部（１１２）の谷部（１１３）を指が入る形状（大きさ）にすれば、手で握ったり指先で掴んだりする時に指が滑らないので、特に必要がなければ先端部に曲げ部を設けなくても良い。波形部（１１２）は波形の大小を変えれば運動の負荷を変更できる。例えば、さざ波のような形状にすれば健康器具（Ａ）の凸部によるツボ刺激効果が生じる。また、波形のピッチの大きさ、波形を連続あるいは不連続を組み合わせれば、ツボ刺激効果や運動のバリエーションが増える。尚、波形部（１１２）を一部あるいは複数部に設け、波形でない部分に本実施例の凸部を設けたり、あるいは波形部（１１２）に本実施例の凸部（１ｄ）を設ければ、更に多種多様なツボ効果が増加する。尚、曲げ部（１１１ｂ）、（１１１ｃ）は設けなくても差し支えない。【００１８】  本発明の他の実施例３の健康器具（Ａｃ）として、図８、図９に示すようにツボ刺激圧を増すために凸部（１２１ｄ）を大きくする場合、開口部（１２１ａ）を設けた本体（１２１）の幅全体が大きくならないように凸部（１２１ｄ）だけを本体（１２１）の幅より大きくする。すなわち、本体（１２１）の１箇所または複数箇所に出っ張り部（１２１ｅ）を設け、凸部（１２１ｄ）を設ける。出っ張り部（１２１ｅ）は等間隔でも不揃いでも、また一箇所でも差し支えない。尚、曲げ部（１２１ｂ）、（１２１ｃ）は設けなくても差し支えない。【００１９】  本発明の他の実施例４の健康器具（Ａｄ）として、図１０、図１１に示すように開口部（１３１ａ）を設けた本体（１３１）の外面に、受光して発光する塗料を発光部（１３２）に塗布する。夜間歩行時に健康器具（Ａｄ）を腕に装着すれば車のライトにより発光し、運転者が歩行者を発見し易く安全である。発光部（１３２）を自発光するものや光センサー等を設ければ、図１２に示すように、本体（１３１）の曲げ部（１３１ｂ）、（１３１ｃ）に長めの紐（３）を結んで振り回せば、安全面だけでなく光の信号として遠くまで伝えることができる。また、本体（１３１）に発光部（１３２）を阻害しないような複数の穴を設ければ、該穴に紐を通して使用でき、健康リング（Ａｄ）を振り回す時に紐（３）から本体（１３１）が外れることがなく安全である。尚、発光部（１３２）は夜間に車のライト等を受けて光れば良いので発光部（１３２）は反射体でもよい。以上から明らかであるが、発光部（１３２）は本体（１３１）全体に設けても、一部に設けても、内外全体に設けても、複数の部分に設けても良い。この場合、発光部（１３２）の配置に特に制限はなく、どのような配置でも効果に大きな影響はない。尚、曲げ部（１３１ｂ）、（１３１ｃ）はループ状の閉構造にすれば、紐（３）を結ぶのに便利である。【００２０】  本発明の他の実施例５の健康器具（Ａｅ）の本体（１４１）を、樹脂やステンレス等の錆びない材料やメッキ品で形成し、図１３、図１４に示すようにヤスリ部（１４２）を設ける。例えば風呂に携帯し、湯につかる効果で柔らかくなったかかと等の角質を削除するのに使用でき便利である。しかも耐食性があるために腕に付けたまま湯につかることができ、いわゆるスーパー銭湯等に携帯して常時容易に脱着使用できる。以上から明らかであるが、ヤスリ部（１４２）は本体（１４１）全体に設けても、一部に設けてもよい。また、複数の部分に設けても良い。この場合、ヤスリ部（１４２）の配置に特に制限はなく、どのような配置でも効果に影響はない。尚、曲げ部（１４１ｂ）、（１４１ｃ）は設けなくても差し支えない。【００２１】  本発明の他の実施例６の健康器具（Ａｆ）として図１５、図１６に示すように、〔００１８〕における出っ張り部を一箇所とする。開口部（１５１ａ）を設けた弾性を有する金属板からなる本体（１５１）の一部に出っ張り部（１５１ｅ）を設ける。出っ張り部（１５１ｅ）には磁石が付く金属で形成した凹部（１５１ｆ）を設け、磁石を取付けたゴルフパッティング用のマーカー（１５２）を装着できる形状に形成する。すなわち、凹部（１５１ｆ）を縁部（１５１ｇ）で形成し、マーカー（１５２）が磁石にくっつき凹部（１５１ｆ）に装着できるような形状に形成し、マーカー（１５２）が容易に脱着できるように隙間部（１５１ｈ）を設け、マーカー（１５２）を指で取り易くする。隙間部（１５１ｈ）は複数個所設けても差し支えない。また、隙間部（１５１ｈ）はマーカー（１５２）を取る時に支障がなければ設けなくても良い。また、マーカー（１５２）の高さ（厚み）が凹部（１５１ｆ）の縁部（１５１ｇ）の高さより高く、指で掴めるなら隙間部（１５１ｈ）は不要でも良い。本実施例によればゴルフプレー中も健康器具として使用できるだけでなく、マーカー（１５２）を手元で脱着でき、マーカー（１５２）の有無が一目で分かりマーカー（１５２）の紛失を防止できる。勿論、凹部（１５１ｆ）を磁石にしマーカー（１５２）を磁石の付く金属で形成しても良い。本体（１５１）と出っ張り部（１５１ｅ）が同じ幅でも差支えない。また、健康器具（Ａｆ）として使用時には、凹部（１５１ｆ）が運動時の滑り止めとして働くため、本実施例では特に機能上で必要がないので先端の曲げ部を設けていない。また、マーカー（１５２）の磁力が強ければ凹部（１５１ｆ）の縁部（１５１ｇ）は設けなくてよい。尚、マーカー（１５２）の形状は特に制限はなく、円形や楕円形や四角形や多角形、あるいは球状でも問題ない。【００２２】  本発明の他の実施例７の健康器具（Ａｇ）として、健康器具（Ａｆ）において示した出っ張り部を本体と別個に形成する。以下、図面にもとづいて説明する。（イ）図１７、図１８に示すように出っ張り部（１６３）を本体（１６１）と別々に形成する。（ロ）出っ張り部（１６３）の凹部（１６３ｆ）の底面に磁石の付く金属板（４）を取付け、マーカー（１６２）の底面に磁石（６）を取付けることで、凹部（１６３ｆ）の金属板（４）とマーカー（１６２）の磁石（６）がくっつき、マーカー（１６２）が本体（１６１）の凹部（１６３ｆ）に装着できる。（ハ）凹部（１６３ｆ）の縁部（１６１ｇ）に隙間部（１６１ｈ）を設ける。凹部（１６３ｆ）の下部に本体（１６１）を差し込む差込部（１６１ｉ）を設ける。差込部（１６１ｉ）は本実施例では本体（１６１）と相似形の穴に形成している。（ニ）差込部（１６１ｉ）は本体（１６１）が容易に差し込める形状に形成する。本実施例では、図１９、図２０に示すように差込部（１６１ｉ）の上下面に上突起（６）、下突起（７）を設ける。上突起（７）と下突起（８）は上下に稼働できるようにする。本体（１６１）を差込部（１６１ｉ）に差し込むと上突起（６）が上に、下突起（７）が下に逃げ、本体（１６１）を定位置まで差し込むと上突起（７）と下突起（８）はバネ（８）により本体（１６１）を上下から押えるように働き、本体（１６１）を固定する。本実施例の構造上から明らかであるが稼働する突起は片面のみでも良い。すなわち、一方を稼働にし、他方を固定のものでもよい。また、上突起（６）、下突起（７）の先端にテーパを設ければ本体（１６１）が差し込み易い。（ホ）本体（１６１）と差込部（１６１ｉ）は、脱着が容易な公知の構造であれば特に制限はなく、例えばマジックテープやホック等を利用しても良い。以上のように、出っ張り部（１６３）を取外すことができるので健康器具（Ａｇ）以外の用途に使用することができる。（ヘ）本体（１６１）は開口部（１６１ａ）を設けた弾性のある金属板で形成されており、出っ張り部（１６３）を取り外せば指手の運動に全く支障がない。【００２３】  〔００２２〕の活用として、例えば、本体（１６１）に太陽電池を設け、マーカー（１６２）に��電部と発光部を設ければ、グリーン上のマーカー（１６２）を光るようにすることができ、マーカー（１６２）の位置が容易に察知できる。また、〔００１９〕に示した安全面の効果も生じる。尚、マーカー（１６２）にマイクロ電池等を内蔵すれば該太陽電池は不要になる。また、マーカー（１６２）にピンまでの距離を測定するセンサーを設け、マーカー（１６２）にマイクロコンピュータと距離を表示するモニター部を設ければ、パター時に有効でスコアアップにつながる。マーカー（１６２）と同形で他の機能を有する器具を装着すれば、ゴルフプレー以外にも使用できる。例えば、方位計や高度計あるいは気圧計を装着できるようにすれば登山時に便利である。以上のように出っ張り部（１６３）を付け替えることで様々な用途に使用できる。尚、センサーやモニター部はマーカー（１６２）に限定する必要はなく、例えば本体（１６１）や凹部（１６３ｆ）の縁部（１６１ｇ）の側面や縁部（１６１ｇ）の幅を広くして縁部（１６１ｇ）の上面に設けても差し支えない。また、凹部（１６３）の底面に設けてもよい。【００２４】  本発明では指手腕の筋肉を鍛えることができ、脳の活性化でボケ防止や血流改善が図れる健康器具であることから、老人が腕に装着するのに抵抗がなく、常時身に付けることが習慣付けできる。従って、本発明の他の実施例の健康器具（Ａｇ）のマーカー（１６２）や出っ張り部（１６３）にＧＰＳ受信器を設ければ、徘徊老人の居場所を常時管理できる。すなわち、本発明によれば、これから更に増加する社会的課題である徘徊老人の失踪を阻止できる効果がある。【００２５】  〔００２１〕及び〔００２２〕で示したように、出っ張り部（１５１ｅ）、（１６３）の凹部（１５１ｆ）、（１６３ｆ）を利用してゴルフ器具として活用できるが、〔００２３〕に示す具体的実施例について、図に基づいて詳細に説明する。（イ）図２１に示すように、健康器具（Ａｈ）は本体（１７１）は開口部（１７１ａ）有する弾性のある金属板で形成され、本体（１７１）の一部に出っ張り部（１７１ｅ）を設ける。また、出っ張り部（１７１ｅ）の上面に表示部（１７２）とセンサー（１７３）を設ける。（ロ）出っ張り部（１７１ｅ）には電源としてマイクロ電池（１７４）、マイクロコンピュータ（１７５）を取付ける。（ハ）以上により、センサー（１７３）の受信データをマイクロコンピュータ（１７５）で演算、解析し、表示部（１７２）に数値や画像で表示する。以上から明らかなように、本健康器具（Ａｈ）は用途によりセンサー（１７３）を変えることにより〔００２３〕及び〔００２４〕に示した用途に活用できる。本実施例においては〔００２２〕についても活用できるので、出っ張り部（１７１ｅ）を取り替えられる構造にすれば、センサー（１７３）を交換する必要がない。また、本体（１７１）は弾性のある金属板で形成しているので、手指の運動には大きな支障がなく、本発明の効果を阻害しない。【００２６】  図２１の他の実施例８に示すように、本体（１８１）の開口部（１８１ａ）を腕の幅かそれより大きくする。開口部（１８１ａ）に開口部（１８１ａ）を閉じるように曲げ部（１８１ｂ）、（１８１ｃ）にゴム等の伸縮材（９）を取付け、曲げ部（１��１ｂ）、（１８１ｃ）でカシメて固定すれば、本体（１８１）を拡げずに伸縮材（９）を伸ばして腕に装着できる。本実施例の場合、伸縮材（９）が縮むことで本体（１８１）も弾性により縮んで腕に密着し、激しい運動をしても健康器具（Ａｉ）が動かないようにできる。この場合、手で握ったり指先で掴んだりしても伸縮材（９）が伸縮するので、手指の反復運動に何ら支障はなく本発明の効果が変わらないことは明らかである。開口部（１８１ａ）を腕より狭くした場合でも、本体（１８１）と伸縮材（９）を拡げれば腕に装着できるので、本実施例の健康器具（Ａｉ）として使用することに支障はない。【００２７】  本発明の健康器具では、本体の弾性の強さを材料面で調整できるだけでなく、開口部の大きさやリブを設ける等構造上でも調整でき、必要な運動負荷に合う適格な健康器具を提供できるものである。【００２８】  本体の開口部の両端を曲げない場合、腕に装着時本体を広げて装着するが、広げ方が甘い場合、装着する時に本体の先端が腕に当たり、装着しにくかったり傷をつける恐れがあったが、本体の開口部の両端を曲げたことで解消できた。【００２９】  以上のように本発明の健康器具は携帯健康器具として効果があるだけでなく、腕に脱着できることで、様々な用途に使用できる効果がある。また、構造上装飾品としても活用できることは明らかである。
【図面の簡単な説明】
【００３０】
【図１】本発明の実施例の平面図
【図２】本発明の実施例の側面図
【図３】図１の矢視断面図
【図４】本発明の実施例の平坦な凸部の実施例の断面図
【図５】本発明の実施例の鋭角な凸部の実施例の断面図
【図６】本発明の他の実施例１の側面図
【図７】本発明の他の実施例２の側面図
【図８】本発明の他の実施例３の平面図
【図９】本発明の他の実施例３の側面図
【図１０】本発明の他の実施例４の平面図
【図１１】本発明の他の実施例４の側面図
【図１２】本発明の他の実施例４の使用例図
【図１３】本発明の他の実施例５の平面図
【図１４】本発明の他の実施例５の側面図
【図１５】本発明の他の実施例６の平面図
【図１６】図１５の矢視断面図
【図１７】本発明の他の実施例７の側面図
【図１８】本発明の他の実施例７の底面図
【図１９】図１７のＹ部拡大図
【図２０】図１９のＺ部の差込部及び上下突起の詳細拡大図
【図２１】本発明の他の実施例８の側断面図
【図２２】本発明の他の実施例９の側面図
【符号の説明】
【００３１】  Ａ、Ａａ、Ａｂ、Ａｃ、Ａｄ、Ａｅ              健康器具  Ａｆ、Ａｇ、Ａｈ、Ａｉ                        健康器具  １、１１、１１１、１２１、１３１              本体  １４１，１５１、１６１、１７１，１８１        本体  １ａ、１１ａ、１１１ａ、１２１ａ              開口部  １３１ａ、１４１ａ、１５１ａ                  開口部  １６１ａ、１７１ａ                            開口部  １ｂ、１１ｂ、１１１ｂ、１２１ｂ              曲げ部  １３１ｂ、１４１ｂ、１７１ｂ                  曲げ部  １ｃ、１１ｃ、１１１ｃ、１２１ｃ              曲げ部  １３１ｃ、１４１ｃ、１７１ｃ                  曲げ部  １ｄ、１ｅ、１ｆ、１２１ｄ                    凸部  １１２                                        波形部  １１３                                        谷部  １２１ｅ、１５１ｅ、１６３、１７１ｅ          出っ張り部  １３２                                        発光部  １４２                                        ヤスリ部  １５１ｆ、１６３ｆ                            凹部  １５１ｇ、１６１ｇ                            縁部  １５１ｈ、１６１ｈ                            隙間部  １６１ｉ                                      差込部  １５２、１６２                                マーカー  １７３                                        センサー  １７４                                        マイクロ電池  １７５                                        マイクロコンピュータ  ２                                            非金属板  ３                                            紐  ４                                            金属板  ５                                            磁石  ６                                            上突起  ７                                            下突起  ８                                            バネ  ９                                            伸縮材
【図１】
2016067861.tif 000003
【図２】
2016067861.tif 000004
【図３】
2016067861.tif 000005
【図４】
2016067861.tif 000006
【図５】
2016067861.tif 000007
【図６】
2016067861.tif 000008
【図７】
2016067861.tif 000009
【図８】
2016067861.tif 000010
【図９】
2016067861.tif 000011
【図１０】
2016067861.tif 000012
【図１１】
2016067861.tif 000013
【図１２】
2016067861.tif 000014
【図１３】
2016067861.tif 000015
【図１４】
2016067861.tif 000016
【図１５】
2016067861.tif 000017
【図１６】
2016067861.tif 000018
【図１７】
2016067861.tif 000019
【図１８】
2016067861.tif 000020
【図１９】
2016067861.tif 000021
【図２０】
2016067861.tif 000022
【図２１】
2016067861.tif 000023
【図２２】
2016067861.tif 000024
【手続補正書】
【提出日】平成26年12月15日(2014.12.15)
【手続補正１】
【補正対象書類名】明細書
【補正対象項目名】００２５
【補正方法】変更
【補正の内容】
【００２５】［００２１］及び［００２２］で示したように、出っ張り部（１５１ｅ）、（１６３）の凹部（１５１ｆ）、（１６３ｆ）を利用してゴルフ器具として活用できるが、［００２３］に示す具体的実施例８について、図に基づいて詳細に説明する。
（イ）図２１に示すように、健康器具（Ａｈ）は本体（１７１）の開口部（１７１ａ）有する弾性のある金属板で形成され、本体（１７１）の一部に出っ張り部（１７１ｅ）を設ける。また、出っ張り部（１７１ｅ）の上面に表示部（１７２）とセンサー（１７３）を設ける。
（ロ）出っ張り部（１７１ｅ）には電源としてマイクロ電池（１７４）、マイクロコンピュータ（１７５）を取付ける。
（ハ）以上により、センサー（１７３）の受信データをマイクロコンピュータ（１７５）で演算、解析し、表示部（１７２）に数値や画像で表示する。
以上から明らかなように、本健康器具（Ａｈ）は用途によりセンサー（１７３）を変えることにより［００２３］及び［００２４］に示した用途に活用できる。本実施例においては［００２２］についても活用できるので、出っ張り部（１７１ｅ）を取り替えられる構造にすれば、センサー（１７３）を交換する必要がない。また、本体（１７１）は弾性のある金属板で形成しているので、手指の運動には大きな支障がなく、本発明の効果を阻害しない。
【手続補正２】
【補正対象書類名】明細書
【補正対象項目名】００２６
【補正方法】変更
【補正の内容】
【００２６】  図２２の他の実施例９に示すように、本体（１８１）の開口部（１８１ａ）を腕の幅かそれより大きくする。開口部（１８１ａ）に開口部（１８１ａ）を閉じるように曲げ部（１８１ｂ）、（１８１ｃ）にゴム等の伸縮材（９）を取付け、曲げ部（１８１ｂ）、（１８１ｃ）でカシメて固定すれば、本体（１８１）を拡げずに伸縮材（９）を伸ばして腕に装着できる。本実施例の場合、伸縮材（９）が縮むことで本体（１８１）も弾性により縮んで腕に密着し、激しい運動をしても健康器具（Ａｉ）が動かないようにできる。この場合、手で握ったり指先で掴んだりしても伸縮材（９）が伸縮するので、手指の反復運動に何ら支障はなく本発明の効果が変わらないことは明らかである。開口部（１８１ａ）を腕より狭くした場合でも、本体（１８１）と伸縮材（９）を拡げれば腕に装着できるので、本実施例の健康器具（Ａｉ）として使用することに支障はない。